(57)【特許請求の範囲】
【請求項１】
少なくとも上面側を吸水性素材で形成された差し替えマットと該差し替えマットを所定位置に固定する板状の固定マットとから成り、前記固定マットを板状の固定マット部材と履き物の下面を支持可能な強度を有する骨格部によって多数の網目を画成された板状の網体とから構成して成り、前記固定マット部材には該固定マット部材のほぼ中央に位置する汚れ捕捉範囲を開口した開口部を形成し、該開口部に前記網体を少なくとも履き物の下面を支持可能な範囲に渡って張設して成り、前記開口部及び前記網体の各網目を通して前記固定マットの下面に敷設される前記差し替えマットの吸水性素材で小便などの液状汚れを捕捉できるように構成してあり、更に前記固定マットには該固定マットの前記汚れ捕捉範囲の上部位置に該固定マットの下面に敷設された前記差し替えマットの上端部から突設された差し込み突片を前記固定マットの下面側から前記固定マットを構成する前記固定マット部材の上面側に該固定マット部材の前端部方向に向けて差し込むようにした差し込み口を形成したことを特徴とする衛生マット。
【請求項２】
前記差し込み口を前記固定マット部材の前記開口部の上辺部と該上辺部から下方向に離して配設された前記網体の上縁部との間に位置する前記開口部で形成したことを特徴とする請求項１記載の衛生マット。
【請求項３】
前記固定マット部材の前記開口部に張設される前記網体を前記固定マット部材の下面側に張設したことを特徴とする請求項１又は２に記載の衛生マット。
【請求項４】
前記網体を前記固定マット部材の前記開口部に張設される張設部と前記開口部の上辺部を超えた前記固定マット部材の上面側まで延ばした延設部とで構成し、前記張設部を前記固定マット部材の下面側に張設し、前記延設部を前記固定マット部材の上面側に該固定マット部材の上面と離間させた隙間を前記差し替えマットの差し込み突片の挿入部として形成するように配設してあり、前記固定マット部材の前記開口部の上辺部から離間して配設された前記網体と前記開口部の上辺部との間で形成された前記開口部の隙間を前記差し替えマットの差し込み突片の挿入口として形成してあり、該挿入口と該挿入口に連通された前記挿入部を前記差し込み口としたことを特徴とする請求項１記載の衛生マット。
【請求項５】
前記固定マット部材の前記開口部に張設される前記網体を前記固定マット部材の下面側に張設し、この網体の骨格部の下面に該網体の下面に敷設される前記差し替えマットの表面に向けられた複数の係止用突起部を突設したことを特徴とする請求項１、２又は４に記載の衛生マット。
【請求項６】
前記開口部の上辺部に前記差し込み口に差し込まれた前記差し替えマットの下面を支持して前記固定マット部材の下面側に張設された前記網体と協働して前記差し替えマットを挟持する挟持用舌片を延設したことを特徴とする請求項２又は４に記載の衛生マット。
【発明の詳細な説明】
【０００１】
【発明の属する技術分野】
本発明は、主に便器外に飛散した小便などの液状汚れを捕捉するトイレマットとして用いられる衛生マットに関するものである。
【０００２】
【従来の技術】
従来から一般的に使用されているトイレマットは、便器外に飛散した小便などの液状汚れを吸着するマット部分とこのマット部分を所定位置に固定するマット本体とを分離不可能に一体的に構成してあることから、大きくて重い汚れたトイレマットを洗浄して再度所定の床面に設置することは特に業務用にあっては大変な作業であることから、本発明者は特許第２７５０５７０号として、便器外に飛散した小便などの液状汚れを吸着可能な差し替えマットと該差し替えマットを所定位置に固定する固定マットとから成り、汚れた差し替えマットを新しい差し替えマットに取り替えて使用するようにした衛生マットを提案した。この衛生マットはトイレマットとして販売以来、大きな反響を呼び使用されるに至っているが、次の問題点を生じるに至った。差し替えマットは小便器外に飛散した小便が落下されやすい固定マットのほぼ中央部に取付けられ、小便時には前記差し替えマット位置の両側に位置する固定マットの足踏み部を靴底で踏んで用を足すが、小便後にこのトイレマットを離れる際に差し替えマット部を踏みつけてしまう現象が多々みられた。このような現象により、小便を含んで汚れた差し替えマットで靴底が汚れ、靴底に付着した小便汚れが他の床面に転移してしまう弊害があり、また、小便汚れや塵汚れや土汚れなどいろいろな汚れによって汚れた靴底で差し替えマットを踏まれ汚されると、差し替えマットとしての本来の機能（小便吸収能力）を保持しているにもかかわらず美感上の観点から早めに差し替えマットを取り替えているのが実情であり、手間がかかり、また省資源化の観点からも好ましくない。
【０００３】
【発明が解決しようとする課題】
本発明は、便器外に飛散した小便などの液状汚れを吸着可能な差し替えマットと該差し替えマットを所定位置に固定する固定マットとから成り、汚れた差し替えマットを新しい差し替えマットに取り替えて使用するようにした衛生マットであり、特に、前述した問題点を解決するために提案されたものである。すなわち、小便を含んで汚れた差し替えマットの範囲を靴底で踏んでもマットの小便汚れで靴底が汚れず、汚れた靴底で汚れを他の床面に転移させることがないようにする衛生マットを提供しようとするものである。また、塵汚れや土汚れなどによって汚れた靴底で差し替えマットの範囲を踏んでもこれらの汚れで差し替えマットの表面が汚されたり損傷されることがなく、したがって、差し替えマットとしての小便吸収能力を保持しているにもかかわらず美感上の観点から差し替えマットを早期に取り替える必要のない手間がかからず省資源化にも貢献できる衛生マットを提供しようとするものである。更に、他の課題としては、差し替えマットを固定マットで所定位置に固定する機能を強化させた衛生マットを提供しようとするものである。
【０００４】
【課題を解決するための手段】
請求項１に記載した発明に係る衛生マットは、少なくとも上面側を吸水性素材で形成された差し替えマットと該差し替えマットを所定位置に固定する板状の固定マットとから成り、前記固定マットを板状の固定マット部材と履き物の下面を支持可能な強度を有する骨格部によって多数の網目を画成された板状の網体とから構成して成り、前記固定マット部材には該固定マット部材のほぼ中央に位置する汚れ捕捉範囲を開口した開口部を形成し、該開口部に前記網体を少なくとも履き物の下面を支持可能な範囲に渡って張設して成り、前記開口部及び前記網体の各網目を通して前記固定マットの下面に敷設される前記差し替えマットの吸水性素材で小便などの液状汚れを捕捉できるように構成してあり、更に前記固定マットには該固定マットの前記汚れ捕捉範囲の上部位置に該固定マットの下面に敷設された前記差し替えマットの上端部から突設された差し込み突片を前記固定マットの下面側から前記固定マットを構成する前記固定マット部材の上面側に該固定マット部材の前端部方向に向けて差し込むようにした差し込み口を形成したことを特徴としている。
【０００５】
請求項２に記載した発明に係る衛生マットは、請求項１の衛生マットに限定を加えたものであり、請求項１の前記差し込み口を前記固定マット部材の前記開口部の上辺部と該上辺部から下方向に離して配設された前記網体の上縁部との間に位置する前記開口部で形成したことを特徴としている。
【０００６】
請求項３に記載した発明に係る衛生マットは、請求項１又は２の衛生マットに限定を加えたものであり、前記固定マット部材の前記開口部に張設される前記網体を前記固定マット部材の下面側に張設したことを特徴としている。このように、前記網体を前記固定マット部材の下面側に張設したことによって、この網体下に置かれる前記差し替えマットを前記固定マットの所定位置に固定する働きを期待できる。
【０００７】
また、請求項４に記載した発明に係る衛生マットは、請求項１の衛生マットの網体に限定を加えたものであり、前記網体を前記固定マット部材の前記開口部に張設される張設部と前記開口部の上辺部を超えた前記固定マット部材の上面側まで延ばした延設部とで構成し、前記張設部を前記固定マット部材の下面側に張設し、前記延設部を前記固定マット部材の上面側に該固定マット部材の上面と離間させた隙間を前記差し替えマットの差し込み突片の挿入部として形成するように配設してあり、前記固定マット部材の前記開口部の上辺部から離間して配設された前記網体と前記開口部の上辺部との間で形成された前記開口部の隙間を前記差し替えマットの差し込み突片の挿入口として形成してあり、該挿入口と該挿入口に連通された前記挿入部を前記差し込み口としたことを特徴としている。網体をこのように構成したことによって、この網体の張設部によって前記開口部に現れる前記差し替えマットの表面を覆うことができると共に、この網体の延設部によって、前記差し込み口すなわち前記挿入口から前記挿入部に差し込まれた前記差し込み突片の全部又は部分を覆うことができる。
【０００８】
請求項５に記載した発明に係る衛生マットは、請求項１、２又は４に記載の衛生マットに限定を加えたものであり、前記固定マット部材の前記開口部に張設される前記網体を前記固定マット部材の下面側に張設し、この網体の骨格部の下面に該網体の下面に敷設される前記差し替えマットの表面に向けられた複数の係止用突起部を突設したことを特徴としている。この係止用突起部によって、前記固定マットの下面に敷設される前記差し替えマットをより効果的に前記固定マットの所定位置に固定できる。
【０００９】
また、請求項６に記載した発明に係る衛生マットは、請求項２又は４に記載の衛生マットに限定を加えたものであり、前記開口部の上辺部に前記差し込み口に差し込まれた前記差し替えマットの下面を支持して前記固定マット部材の下面側に張設された前記網体と協働して前記差し替えマットを挟持する挟持用舌片を延設したことを特徴としている。これによって、前記差し替えマットをより効果的に前記固定マットの所定位置に固定できる。
【００１０】
【発明の実施の形態】
以下、本発明の実施形態について図面を参照しながら説明する。図１乃至図４は衛生マットの実施形態を示し、図５乃至図７は衛生マットの他の実施形態を示している。また、図８及び図９は固定マットの構成要素である網体の好ましい実施形態を示したものである。
【００１１】
図１乃至図４に示した衛生マットは、少なくとも上面側を吸水性素材で形成された差し替えマット１と該差し替えマット１を所定位置に固定する板状の固定マット１０とから成り、前記固定マット１０を板状の固定マット部材１２と履き物の下面を支持可能な強度を有する骨格部１５によって多数の網目１６を画成された板状の網体１４とから構成してある。そして、前記固定マット部材１２には該固定マット部材１２のほぼ中央に位置する汚れ捕捉範囲Ｆを開口した開口部１８を形成し、該開口部１８に前記網体１４を少なくとも履き物の下面を支持可能な範囲に渡って張設してあり、前記開口部１８及び前記網体１４の各網目１６を通して前記固定マット１０の下面に敷設される前記差し替えマット１の吸水性素材で小便などの液状汚れを捕捉できるように構成してある。なお、図面では前記網体１４の網目形状を便宜的に一部省略して表現してある。前記汚れ捕捉範囲Ｆとは、衛生マットのマットエリア範囲内において、小便器外に飛散した小便が落下されやすい範囲で、小便後に不用意に履き物で踏まれやすい範囲を指している。小便時には前記固定マット１０（前記固定マット部材１２）の前記汚れ捕捉範囲Ｆの両側に位置する所定足踏み部２０を履き物で踏むが、小便後にマット面を離れる際に前記汚れ捕捉範囲Ｆを踏みやすいものである。前記固定マット部材１２の前記開口部１８に張設される前記網体１４は前記固定マット部材１２の下面側に接着剤によって接着され張設されている。前記固定マット１０には該固定マット１０の前記汚れ捕捉範囲Ｆの上部位置に該固定マット１０の下面に敷設された前記差し替えマット１の上端部から突設された差し込み突片２を前記固定マット１０の下面側から前記固定マット１０を構成する前記固定マット部材１２の上面側に該固定マット部材１２の前端部方向に向けて差し込むようにした差し込み口２２を形成してある。図１に示した衛生マットでは、この差し込み口２２を前記固定マット部材１２の前記開口部１８の上辺部１８Ａと該上辺部１８Ａから下方向に離して配設された前記網体１４の上縁部１４Ａとの間に位置する前記開口部１８で形成してある。
【００１２】
図５乃至図７に示した衛生マットは、図１に示した固定マット１０の網体１４に変更を加えたものである。以下に述べる図５の実施形態に特有な構成のほかは前述した図１の衛生マットの説明と同じである。図５乃至図７に示した実施形態では、前記網体１４を前記固定マット部材１２の前記開口部１８に張設される張設部２４と前記開口部１８の上辺部１８Ａを超えた前記固定マット部材１２の上面側まで延ばした延設部２６とで構成し、前記張設部２４を前記固定マット部材１２の下面側に張設し、前記延設部２６を前記固定マット部材１２の上面側に該固定マット部材１２の上面と離間させた隙間を前記差し替えマット１の差し込み突片２の挿入部２８として形成するように配設してあり、前記固定マット部材１２の前記開口部１８の上辺部１８Ａから離間して配設された前記網体１４と前記開口部１８の上辺部１８Ａとの間で形成された前記開口部１８の隙間を前記差し替えマット１の差し込み突片２の挿入口３０として形成してあり、該挿入口３０と該挿入口３０に連通された前記挿入部２８を前記差し込み口２２として構成している。前記網体１４を図５の実施形態のように構成したことによって、この網体１４の張設部２４によって前記開口部１８に現れる前記差し替えマット１の表面を覆うことができると共に、この網体１４の延設部２６によって、前記差し込み口２２すなわち前記挿入口３０から前記挿入部２８に差し込まれた前記差し込み突片２を覆うことができるようにされている。この延設部２６は、前記差し込み突片２の全部を覆う長さに形成しても良いし、また図示した実施形態のように前記差し込み突片２の先端部（先端部に形成される後述するスリット形成部）を除いた部分を覆う長さに形成しても良いものである。
【００１３】
図１及び図５に示した前記固定マット１０の構成要素である前記固定マット部材１２の材質は、好ましくは可撓性を有するゴム材や樹脂材が採用され、同じく前記固定マット１０の構成要素である前記網体１４の材質は、前述したように履き物の下面を支持可能な強度を有する骨格部１５によって多数の網目１６を画成していることから、好ましくは樹脂材が採用される。
【００１４】
前記網体１４は、図８及び図９に示したように、前記骨格部１５に対して各網目１６の開口範囲を広く形成し、履き物の下面を支持可能な条件下で各網目１６の開口範囲をなるべく広く形成するように構成されている。そして、前記固定マット部材１２の前記開口部１８に張設される前記網体１４（図５の実施形態においては前記網体１４の前記張設部２４）を前記固定マット部材１２の下面側に張設し、この網体１４の骨格部１５の下面に該網体１４の下面に敷設される前記差し替えマット１の表面に向けられた複数の係止用突起部３２を突設している。この係止用突起部３２は前記骨格部１５の交差部３４に所定の間隔をおいて形成されている。この係止用突起部３２によって、前記固定マット１０の下面に敷設される前記差し替えマット１をより効果的に前記固定マット１０の所定位置に固定できるようにされている。
【００１５】
図１及び図５に示した前記差し込み口２２の横幅は前記汚れ捕捉範囲Ｆの横幅とほぼ同様な長さを有しており、前記開口部１８の上辺部１８Ａに前記差し込み口２２に差し込まれた前記差し替えマット１の下面を支持して前記固定マット部材１２の下面側に張設された前記網体１４と協働して前記差し替えマット１を挟持する挟持用舌片３６を延設してある。この挟持用舌片３６と前記網体１４との協働作用によって、前記差し込み口２２に差し込まれた前記差し替えマット１を効果的に挟持し、よって前記差し替えマット１を前記固定マット１０の所定の配下位置に固定しやすくしている。なお、前記挟持用舌片３６は、図示されたものの他、前記開口部１８内に位置されるような大きな舌片に形成することも可能である。
【００１６】
前記差し替えマット１としては、この差し替えマット１の表面側より小便などの液体を吸収できるものであれば良く、その材質は特に限定されるものではないが、厚紙などの台紙上に不織布を張り付けたものを採用でき、また、小便などの液体の吸収保持能力をより高めるために、これらの素材間に高分子ポリマーを介在させたものも採用できる。
【００１７】
また、図１及び図５に示した差し替えマット１の前記差し込み突片５は、前記差し込み口２２の横幅長さより僅かに狭い横幅長さを有しており、前記差し込み口２２から差し出された前記差し込み突片２先端部は前記固定マット１０の上縁部に至るように延設されている。前記差し替えマット１の前記固定マット１０の下面に敷設される部分は、前記差し込み口２２の横幅長さより広い横幅長さを有していることから、前記差し込み口２２に差し込まれる前記差し込み突片２の差し込み長さを所定の長さに規制できる。
【００１８】
前記差し替えマット１及び固定マット１０の上縁部はこの衛生マットを設置する小便器の形状にフィットされるように湾曲してあり、この湾曲部３８には放射状に延びる複数の切り込みスリット４０を形成してある。
【００１９】
図１に示した固定マット１０の前記差し込み口２２の構成に代えて、前記網体１４を張設された前記開口部１８の上部位置に該開口部１８と離間された別の差し込み口を形成し、この差し込み口を前記した差し込み口２２として機能させることも可能である。
【００２０】
なお、図中、符号４２は前記固定マット１０（固定マット部材１２）に形成された複数の係止用嵌合穴であり、この係止用嵌合穴４２を床面に接着される係止用凸部４４に嵌合させて、固定マット１０が床面からズレないようにしている。
【００２１】
【発明の効果】
本発明に係る衛生マットによれば、便器外に飛散した小便などの液状汚れを吸着可能な差し替えマットを固定マットに取付けて使用するようにした衛生マットにおいて、特に、小便を含んで汚れた差し替えマットの範囲を靴底で踏んでもこのマットの小便汚れで靴底が汚れないため、汚れた靴底で汚れを他の床面に転移させることがなく、また、小便汚れはもとよりその他の塵汚れや土汚れなどによって汚れた靴底で差し替えマットの範囲を踏んでもこれらの汚れで差し替えマットの表面が汚されたり損傷されることがないため、差し替えマットとしての本来の機能である小便吸収能力を保持しているにもかかわらず美感上の観点から汚れた差し替えマットを早期に取り替える必要がない。よって、差し替えマットの取り替えサイクルが短くならないことから取り替え作業の省力化を期待でき省資源化にも貢献できる。更に、本発明に係る衛生マットによれば、差し替えマットを固定マットで所定位置に固定する機能を強化させることができる。
【図面の簡単な説明】
【図１】  衛生マットの平面図である。
【図２】  図１のＡ−Ａ線に沿って切断した部分拡大縦断面図である。
【図３】  図１に示した固定マットの平面図である。
【図４】  図１に示した差し替えマットの平面図である。
【図５】  衛生マットの他の実施形態を示す平面図である。
【図６】  図５のＢ−Ｂ線に沿って切断した部分拡大縦断面図である。
【図７】  図５に示した固定マットの平面図である。
【図８】  固定マットの構成要素である網体の部分拡大底面図である。
【図９】  図８のＣ−Ｃ線に沿って切断した縦断面図である。
【符号の説明】
１  差し替えマット
２  差し込み突片
１０  固定マット
１２  固定マット部材
１４  網体
１４Ａ  網体の上縁部
１５  骨格部
１６  網目
１８  開口部
１８Ａ  開口部の上辺部
Ｆ  汚れ捕捉範囲
２０  所定足踏み部
２２  差し込み口
２４  張設部
２６  延設部
２８  挿入部
３０  挿入口
３２  係止用突起部
３４  交差部
３６  挟持用舌片
３８  湾曲部
４０  スリット
４２  係止用嵌合穴
４４  係止用凸部
【図１】
0004491157.tif 000002
【図２】
0004491157.tif 000003
【図３】
0004491157.tif 000004
【図４】
0004491157.tif 000005
【図５】
0004491157.tif 000006
【図６】
0004491157.tif 000007
【図７】
0004491157.tif 000008
【図８】
0004491157.tif 000009
【図９】
0004491157.tif 000010